(57)【要約】      （修正有）【課題】ボタンの付け替え作業をしなくとも容易にボタンの外観を変化させることのできるボタンカバーを提供する。【解決手段】ボタンカバー４は、衣服１に糸２を用いて縫い付けられたボタン４に被覆されるものである。ボタン４の衣服１への取り付けは、針を用いてボタン４に設けられた複数の孔部３１に糸２を通しつつ衣服１に縫い付けられることで行われている。ボタンカバー４は、袋状のカバー本体４１と、カバー本体４１の表面に施された修飾部と、カバー本体４１の裏側に形成された開口部４２を備えて構成されている。カバー本体４１は、シリコン樹脂やウレタン樹脂等、伸縮性のある樹脂材料により形成されている袋状の部材である。カバー本体４１は、ボタン３にボタンカバー４が取り付けられた状態において衣服１のボタンホールに取り付け可能な程度に薄く形成されている。【選択図】図１
0003194329.tif 000002
【実用新案登録請求の範囲】
【請求項１】
衣服に取り付けられたボタンを被覆するボタンカバーであって、
伸縮性のあるシリコン樹脂よりなる袋状のカバー本体と、
前記カバー本体の表面に施された修飾部と、
前記カバー本体の裏側に形成された開口部と、
を備えることを特徴とするボタンカバー。
【請求項２】
前記修飾部は単色の色彩よりなることを特徴とする請求項１記載のボタンカバー。
【請求項３】
前記修飾部は絵柄よりなることを特徴とする請求項１記載のボタンカバー。
【請求項４】
前記修飾部は立体形状よりなることを特徴とする請求項１記載のボタンカバー。
【考案の詳細な説明】
【技術分野】
【０００１】
本考案は、衣服等のボタンに着脱可能に取り付けられて用いられるボタンカバーに関する。
【背景技術】
【０００２】
衣服等へのボタンの取り付けは、針を用いて糸で衣服に着脱不能に縫い付けることで行われている。そのためボタンの外観を変えることで衣服の印象を変えたい場合にはボタンの付け替えを行う必要があった。
【０００３】
しかし、ボタンの付け替えを行いたい場合には、ハサミ等を用いて糸を切断し、ボタンを取り外した後、再度針を用いて糸で新しいボタンを縫い付ける必要があり、作業に手間を要するものであり、容易に行うことはできなかった。
【考案の概要】
【考案が解決しようとする課題】
【０００４】
そのため、例えばフォーマルな会合に出席したいときに衣服のボタンのデザインが派手なものである場合には、衣服本体のデザインがその会合に相応しいものであっても、その衣服を着用していくことはできなかった。
【０００５】
また、ボタンのデザインを変えて衣服のイメージを変化させてファッションを楽しみたい場合でも、ボタンの付け替えは容易に行うことができず、こうした要求に対応することは難しかった。
【０００６】
また、例えば外出先から急きょ葬儀に参加する必要がある場合、白いワイシャツを着ているものの、ボタンの色が不適切である場合にはそのワイシャツを着て行けず、新しいワイシャツを購入しなければならなかった。
【０００７】
そこで、本考案は上記課題に鑑みてなされたものであり、ボタンの付け替え作業をしなくとも容易にボタンの外観を変化させることのできるボタンカバーを提供することを目的とする。
【課題を解決するための手段】
【０００８】
本願の第１考案に係るボタンカバーは、衣服に取り付けられたボタンを被覆するボタンカバーであって、伸縮性のある樹脂材料よりなる袋状のカバー本体と、前記カバー本体の表面に施された修飾部と、前記カバー本体の裏側に形成された開口部と、を備えることを特徴とする。
【０００９】
本願の第２考案に係るボタンカバーは、第１考案において、前記修飾部は単色の色彩よりなることを特徴とする。
【００１０】
本願の第３考案に係るボタンカバーは、第１考案において、前記修飾部は絵柄よりなることを特徴とする。
【００１１】
本願の第４考案に係るボタンカバーは、第１考案において、前記修飾部は立体形状よりなることを特徴とする。
【考案の効果】
【００１２】
上述した本考案によれば、ボタンの付け替え作業をしなくとも容易にボタンの外観を変化させることのできるボタンカバーを提供することができる。
【図面の簡単な説明】
【００１３】
【図１】本考案の実施形態に係るボタンカバーがボタンに取り付けられた状態を示す概略断面図である。
【図２】本考案の実施形態に係るボタンカバーがボタンに取り付けられた状態を示す上方斜視図である。
【図３】本考案の実施形態に係るボタンカバーの下方斜視図である。
【考案を実施するための形態】
【００１４】
以下、本考案の実施形態に係るボタンカバー４について詳細に説明する。
【００１５】
図１は、本考案の実施形態に係るボタンカバーがボタンに取り付けられた状態を示す概略断面図である。図２は、本考案の実施形態に係るボタンカバーがボタンに取り付けられた状態を示す上方斜視図である。図３は、本考案の実施形態に係るボタンカバーの下方斜視図である。
【００１６】
図１及び図２に示すように、本実施形態に係るボタンカバー４は、衣服１に糸２を用いて縫い付けられたボタン４に被覆されるものである。ボタン４の衣服１への取り付けは、針を用いてボタン４に設けられた複数の孔部３１に糸２を通しつつ衣服１に縫い付けられることで行われている。
【００１７】
ボタンカバー４は、袋状のカバー本体４１と、カバー本体４１の表面に施された修飾部４３と、カバー本体４１の裏側に形成された開口部４２を備えて構成されている。
【００１８】
カバー本体４１は、シリコン樹脂やウレタン樹脂等、伸縮性のある樹脂材料により形成されている袋状の部材である。カバー本体４１は、ボタン３にボタンカバー４が取り付けられた状態において衣服１のボタンホールに取り付け可能な程度に薄く形成されている。
【００１９】
修飾部４３は、本実施形態においては花びらの模様が付されて構成されているが、本発明においてはこれに限らず、装飾部４３は単色の色彩の他、絵柄や立体形状等、種々の修飾を採用することができる。
【００２０】
具体的には、修飾部４３として、無地の単一色で構成したり、写真やイラストを印刷したり、貝殻の模様等を印刷したりしてもよい。また、修飾部３は、ヘアライン加工やエンボス加工状等の種々の立体的な装飾を施すこともできる。
【００２１】
開口部４２はカバー本体４１の裏側に設けられている。カバー本体４１が伸縮していない状態においては開口部４２の径はボタン３の径よりも小さくなっていて、カバー本体４１が弾性変形して開口部４２が広げられた状態においてはボタン３の径よりも大きくなる。
【００２２】
そのため、開口部４２を広げることでカバー本体４１をボタン３に被せることができ、ボタン３に被せた状態でカバー本体４１を元の状態に戻すことでボタンカバー４がボタン３に固定される。こうしてボタンカバー４のボタン３への取り付けを容易に行うことができる。
【００２３】
そして、ボタン３にボタンカバー４が取り付けられることにより、ボタン３を付け替えることなく、衣服１全体のイメージを容易に変えることができる。
【００２４】
そのため、例えばパーティーや葬儀等、適する服装が異なる状況においても、ボタン３にボタンカバー４を取り付けることにより、衣服１をその場に適したものとして利用することができる。
【符号の説明】
【００２５】
１  衣服
２  糸
３  ボタン
４  ボタンカバー
３１  孔部
４１  カバー本体
４２  開口部
４３  装飾部
【図１】
0003194329.tif 000003
【図２】
0003194329.tif 000004
【図３】
0003194329.tif 000005